(57)【要約】【課題】十分な機械的強度を確保しつつ、パッチアンテナのアンテナ利得を高める。【解決手段】第１の誘電体層１０の表面１０ａに設けられたグランド導体３１と、グランド導体３１を介して第１の誘電体層１０上に設けられた第２の誘電体層２０と、第２の誘電体層２０を介してグランド導体３１と対向するよう、第２の誘電体層２０の表面２０ａに設けられたパッチ導体３２とを備え、第２の誘電体層２０のうちパッチ導体３２と重なる部分２１は、グランド導体３１上に位置する空気層によって周囲が囲まれている。本発明によれば、パッチ導体３２とグランド導体３１の間の実効的な誘電率が低下することから、アンテナ利得が向上する。しかも、グランド導体３１は第１の誘電体層１０の表面１０ａに形成されていることから、第２の誘電体層２０のうちパッチ導体３２と重ならない部分２２の厚みを薄くしても、機械的強度を十分に確保することが可能となる。【選択図】図１
2019216361.tif 000002
【特許請求の範囲】
【請求項１】
第１の誘電体層と、
前記第１の誘電体層の表面に設けられたグランド導体と、
前記グランド導体を介して前記第１の誘電体層上に設けられた第２の誘電体層と、
前記第２の誘電体層を介して前記グランド導体と対向するよう、前記第２の誘電体層の表面に設けられたパッチ導体と、を備え、
前記第２の誘電体層のうち前記パッチ導体と重なる部分は、前記グランド導体上に位置する空気層によって周囲が囲まれていることを特徴とするパッチアンテナ。
【請求項２】
前記第２の誘電体層は、前記パッチ導体と重ならない部分の厚みが前記パッチ導体と重なる部分の厚みの半分未満であることを特徴とする請求項１に記載のパッチアンテナ。
【請求項３】
前記グランド導体は、前記パッチ導体と重ならない部分において露出していることを特徴とする請求項１に記載のパッチアンテナ。
【請求項４】
前記第２の誘電体層は、前記パッチ導体に接続された給電ラインが配置される貫通孔と、前記貫通孔とは別に設けられた空洞部を有することを特徴とする請求項１乃至３のいずれか一項に記載のパッチアンテナ。
【請求項５】
前記給電ラインは、前記パッチ導体の中心点から一方向にオフセットした位置に設けられ、前記空洞部は、前記パッチ導体の前記中心点から逆方向にオフセットした位置に設けられていることを特徴とする請求項４に記載のパッチアンテナ。
【請求項６】
前記パッチ導体の異なる平面位置にそれぞれ接続された複数の給電ラインをさらに備えることを特徴とする請求項１乃至３のいずれか一項に記載のパッチアンテナ。
【請求項７】
前記パッチ導体と重なる無給電パッチ導体をさらに備えることを特徴とする請求項１乃至６のいずれか一項に記載のパッチアンテナ。
【請求項８】
第１の誘電体層上に、グランド導体、第２の誘電体層及びパッチ導体をこの順に積層する第１の工程と、
前記第２の誘電体層のうち前記パッチ導体と重ならない部分の少なくとも一部を除去することにより、前記第２の誘電体層のうち前記パッチ導体と重なる部分の周囲を空気層によって囲む第２の工程と、を備えることを特徴とするパッチアンテナの製造方法。
【請求項９】
前記第２の工程においては、前記パッチ導体と重ならない部分における前記第２の誘電体層の厚みが、前記パッチ導体と重なる部分における前記第２の誘電体層の厚みの半分未満となるよう、前記第２の誘電体層を除去することを特徴とする請求項８に記載のパッチアンテナの製造方法。
【請求項１０】
前記第２の工程においては、前記パッチ導体と重ならない部分において前記グランド導体が露出するまで、前記第２の誘電体層を除去することを特徴とする請求項８に記載のパッチアンテナの製造方法。
【請求項１１】
前記第２の工程をエッチング法により行うことを特徴とする請求項８乃至１０のいずれか一項に記載のパッチアンテナの製造方法。
【発明の詳細な説明】
【技術分野】
【０００１】
本発明はパッチアンテナ及びその製造方法に関し、特に、ミリ波帯の信号の送受信に用いることが好適なパッチアンテナ及びその製造方法に関する。
【背景技術】
【０００２】
パッチアンテナの利得を向上させる方法として、特許文献１には、複数のパッチ導体をアレイ状に配列する方法が提案されている。しかしながら、特許文献１に記載された方法では、複数のパッチ導体を用いることから、平面サイズが大型化するという問題があった。
【０００３】
パッチアンテナの利得を向上させる別の方法として、特許文献２には、基材に磁性材料を用いる方法が提案されている。しかしながら、特許文献２に記載された方法では、材料コストが増大するだけでなく、磁性材料の磁気特性がミリ波帯では著しく低下することから、ミリ波帯においては効果がほとんど得られないという問題があった。
【０００４】
一方、パッチアンテナの利得を向上させるための方法ではないが、特許文献３には、パッチ導体を厚膜印刷する際のガイドとして、パッチ導体の周囲に溝を形成する方法が提案されている。このような溝は、パッチ導体とグランド導体の間の実効的な誘電率を低下させる副次的効果を発揮することから、結果的にパッチアンテナの利得が向上する。
【先行技術文献】
【特許文献】
【０００５】
【特許文献１】特開２００１−２６７８３９号公報
【特許文献２】特表２０１１−５２８５２７号公報
【特許文献３】特開２００２−１１８４１７号公報
【発明の概要】
【発明が解決しようとする課題】
【０００６】
しかしながら、特許文献３に記載されたパッチアンテナでは、セラミック材からなる誘電体基板の両面にパッチ導体及びグランド導体がそれぞれ形成された構造を有していることから、溝の深さを最小限に抑える必要があり、深い溝を形成すると誘電体基板の機械的強度が不足するという問題があった。このため、特許文献３に記載された方法では利得向上効果は極めて限定的であり、パッチアンテナの利得を十分に向上させることはできなかった。
【０００７】
したがって、本発明は、十分な機械的強度を確保しつつ、高い利得を得ることが可能なパッチアンテナ及びその製造方法を提供することを目的とする。
【課題を解決するための手段】
【０００８】
本発明によるパッチアンテナは、第１の誘電体層と、第１の誘電体層の表面に設けられたグランド導体と、グランド導体を介して第１の誘電体層上に設けられた第２の誘電体層と、第２の誘電体層を介してグランド導体と対向するよう、第２の誘電体層の表面に設けられたパッチ導体とを備え、第２の誘電体層のうちパッチ導体と重なる部分は、グランド導体上に位置する空気層によって周囲が囲まれていることを特徴とする。
【０００９】
本発明によれば、第２の誘電体層のうちパッチ導体と重なる部分の周囲が空気層によって囲まれていることから、パッチ導体とグランド導体の間の実効的な誘電率が低下する。これにより、パッチアンテナの利得が向上する。しかも、グランド導体は第２の誘電体層とは異なる第１の誘電体層の表面に形成されていることから、第２の誘電体層のうちパッチ導体と重ならない部分の厚みを薄くしても、機械的強度を十分に確保することが可能となる。
【００１０】
本発明において、第２の誘電体層は、パッチ導体と重ならない部分の厚みがパッチ導体と重なる部分の厚みの半分未満であっても構わない。これによれば、アンテナ利得の向上効果を顕著に得ることが可能となる。
【００１１】
本発明において、グランド導体は、パッチ導体と重ならない部分において露出していても構わない。これによれば、アンテナ利得の向上効果をより顕著に得ることが可能となる。
【００１２】
本発明において、第２の誘電体層は、パッチ導体に接続された給電ラインが配置される貫通孔と、貫通孔とは別に設けられた空洞部を有するものであっても構わない。これによれば、実効的な誘電率がさらに低下することから、アンテナ利得の向上効果をさらに高めることが可能となる。
【００１３】
本発明において、給電ラインは、パッチ導体の中心点から一方向にオフセットした位置に設けられ、空洞部は、パッチ導体の中心点から逆方向にオフセットした位置に設けられていても構わない。これによれば、オフセットして設けられた空洞部によって放射パターンが整形されることから、垂直方向におけるピーク利得を高めることが可能となる。
【００１４】
本発明によるパッチアンテナは、パッチ導体の異なる平面位置にそれぞれ接続された複数の給電ラインをさらに備えるものであっても構わない。これによれば、２偏波アンテナを構成することが可能となる。
【００１５】
本発明によるパッチアンテナは、パッチ導体と重なる無給電パッチ導体をさらに備えるものであっても構わない。これによれば、パッチアンテナをより広帯域化することが可能となる。
【００１６】
本発明によるパッチアンテナの製造方法は、第１の誘電体層上に、グランド導体、第２の誘電体層及びパッチ導体をこの順に積層する第１の工程と、第２の誘電体層のうちパッチ導体と重ならない部分の少なくとも一部を除去することにより、第２の誘電体層のうちパッチ導体と重なる部分の周囲を空気層によって囲む第２の工程とを備えることを特徴とする。
【００１７】
本発明によれば、パッチ導体を形成した後、第２の誘電体層の一部を除去していることから、パッチ導体とグランド導体の間の実効的な誘電率の低下により、パッチアンテナの利得を向上させることが可能となる。
【００１８】
第２の工程においては、パッチ導体と重ならない部分における第２の誘電体層の厚みが、パッチ導体と重なる部分における第２の誘電体層の厚みの半分未満となるよう、第２の誘電体層を除去しても構わない。これによれば、アンテナ利得の向上効果を顕著に得ることが可能となる。
【００１９】
第２の工程においては、パッチ導体と重ならない部分においてグランド導体が露出するまで、第２の誘電体層を除去しても構わない。これによれば、アンテナ利得の向上効果をより顕著に得ることが可能となる。
【００２０】
本発明においては、第２の工程をエッチング法により行っても構わない。これによれば、第２の誘電体層の除去厚みを任意に設定できるとともに、グランド導体をストッパとして機能させることが可能となる。
【発明の効果】
【００２１】
このように、本発明によれば、十分な機械的強度を確保しつつ、高い利得を得ることが可能なパッチアンテナ及びその製造方法を提供することが可能となる。
【図面の簡単な説明】
【００２２】
【図１】図１は、本発明の第１の実施形態によるパッチアンテナ１の外観を示す略斜視図である。
【図２】図２は、パッチアンテナ１に含まれる導体パターンの形状を説明するための略透視上面図である。
【図３】図３は、図２に示すＡ−Ａ線に沿った略断面図である。
【図４】図４は、第２の誘電体層２０の誘電率とパッチアンテナ１の最大利得との関係を示すグラフである。
【図５】図５は、第２の誘電体層２０の第２の部分２２の厚みとピークゲインとの関係を示すグラフである。
【図６】図６は、本発明の第２の実施形態によるパッチアンテナ２の外観を示す略斜視図である。
【図７】図７は、パッチアンテナ２の略断面図である。
【図８】図８は、本発明の第３の実施形態によるパッチアンテナ３の外観を示す略斜視図である。
【図９】図９は、第３の実施形態の第１の変形例によるパッチアンテナ３Ａの外観を示す略斜視図である。
【図１０】図１０は、第３の実施形態の第２の変形例によるパッチアンテナ３Ｂの構造を説明するための略断面図である。
【図１１】図１１は、第３の実施形態の第３の変形例によるパッチアンテナ３Ｃの外観を示す略斜視図である。
【図１２】図１２は、第３の実施形態の第４の変形例によるパッチアンテナ３Ｄの外観を示す略斜視図である。
【図１３】図１３は、第３の実施形態の第５の変形例によるパッチアンテナ３Ｅの外観を示す略斜視図である。
【図１４】図１４は、本発明の第４の実施形態によるパッチアンテナ４に含まれる導体パターンの形状を説明するための略透視上面図である。
【図１５】図１５は、本発明の第５の実施形態によるパッチアンテナ５の外観を示す略斜視図である。
【発明を実施するための形態】
【００２３】
以下、添付図面を参照しながら、本発明の好ましい実施形態について詳細に説明する。
【００２４】
＜第１の実施形態＞
図１は、本発明の第１の実施形態によるパッチアンテナ１の外観を示す略斜視図である。また、図２はパッチアンテナ１に含まれる導体パターンの形状を説明するための略透視上面図であり、図３は図２に示すＡ−Ａ線に沿った略断面図である。
【００２５】
図１〜図３に示すように、第１の実施形態によるパッチアンテナ１は、板状である第１の誘電体層１０と、第１の誘電体層１０の表面１０ａに設けられたグランド導体３１と、グランド導体３１を介して第１の誘電体層１０上に設けられた第２の誘電体層２０と、第２の誘電体層２０の表面２０ａに設けられたパッチ導体３２を備えている。第１及び第２の誘電体層１０，２０の材料としては、誘電率の低い樹脂材料を用いることが好ましい。第１の誘電体層１０の材料と第２の誘電体層２０の材料については、同じであっても構わないし、異なっていても構わない。
【００２６】
パッチ導体３２は、第１及び第２の誘電体層１０，２０を貫通する貫通孔内に配置されたｚ方向に延在する給電ライン３３を介して、第１の誘電体層１０の裏面１０ｂに形成された給電ライン３４に接続される。図１に示す符号Ｐは、パッチ導体３２と給電ライン３３の接続点、つまり給電点である。本実施形態においては、給電点Ｐがパッチ導体３２の中心点に対してｙ方向にオフセットした位置に設けられている。また、グランド導体３１には、図２及び図３に示す切り欠き３１ａが設けられており、これにより、グランド導体３１と給電ライン３３が分離されている。
【００２７】
第２の誘電体層２０は、平面視で、つまりｚ方向から見て、パッチ導体３２と重なる第１の部分２１と重ならない第２の部分２２を有しており、本実施形態においては、第１の部分２１のｚ方向における厚みよりも、第２の部分２２のｚ方向における厚みの方が薄い。これにより、パッチ導体３２とグランド導体３１は、第２の誘電体層２０の第１の部分２１を介して互いに対向するとともに、第２の部分２２との厚みの差分だけ、グランド導体３１上に位置する空気層によって周囲が囲まれる。その結果、パッチ導体３２とグランド導体３１の間の実効的な誘電率が第２の誘電体層２０自体の誘電率よりも低下することから、パッチアンテナ１の利得が向上する。
【００２８】
図４は、第２の誘電体層２０の誘電率とパッチアンテナ１の最大利得との関係を示すグラフであり、パッチ導体３２の厚さが０．０１８ｍｍであり、第２の誘電体層２０の厚さが第１及び第２の部分２１，２２ともに０．５ｍｍであり、グランド導体３１の平面サイズが１０ｍｍ×１０ｍｍである場合に、中心周波数が３０ＧＨｚとなるようパッチ導体３２の平面サイズを調整した場合における値である。
【００２９】
図４に示すように、パッチアンテナ１の最大利得は、第２の誘電体層２０の誘電率が低いほど良好な値が得られることが分かる。そして、本実施形態においては、第２の誘電体層２０の厚さが均一ではなく、パッチ導体３２と重なる第１の部分２１よりも、パッチ導体３２と重ならない第２の部分２２の方が薄いことから、実効的な誘電率が低下し、これによりパッチアンテナ１の利得が向上する。
【００３０】
図５は、第２の誘電体層２０の第２の部分２２の厚みとピークゲインとの関係を示すグラフであり、パッチ導体３２の厚さが０．０１８ｍｍであり、第２の誘電体層２０の第１の部分２１の厚さが０．６ｍｍであり、グランド導体３１の平面サイズが５ｍｍ×５ｍｍである場合に、中心周波数が２８ＧＨｚとなるようパッチ導体３２の平面サイズを調整した場合における値である。また、図５の横軸は、第２の誘電体層２０の第２の部分２２の厚さを１とした場合における、第２の部分２２の厚さを割合で示している。
【００３１】
図５に示すように、第２の誘電体層２０の厚みが一定である場合（１００％）と比べ、第２の誘電体層２０の第２の部分２２を薄くすると、ピークゲインが向上することが分かる。ピークゲインの向上効果は、第２の部分２２の厚みが第１の部分２１の５０％〜８０％の領域ではほとんど変化しないが、５０％未満になるとピークゲインの向上効果が顕著となる。この点を考慮すれば、第２の誘電体層２０の第２の部分２２の厚みは、第１の部分２１の厚みの半分未満とすることが好ましいと言える。
【００３２】
以上説明したように、本実施形態によるパッチアンテナ１は、第２の誘電体層２０の厚みがパッチ導体３２と重なる第１の部分２１において厚く、パッチ導体３２と重ならない第２の部分２２において薄いことから、実効的な誘電率を低下させることが可能となる。これにより、複数のパッチ導体パターンをアレイ状に配列したり、特殊な誘電体材料を用いたりすることなく、従来と比べてアンテナ利得を向上させることができる。しかも、本実施形態においては、グランド導体３１が第１の誘電体層１０によって支持されていることから、第２の誘電体層２０の第２の部分２２を十分に薄くしても、機械的強度が不足することがない。
【００３３】
本実施形態によるパッチアンテナ１は、第１の誘電体層１０上に、グランド導体３１、第２の誘電体層２０及びパッチ導体３２をこの順に積層した後、第２の誘電体層２０のうちパッチ導体３２と重ならない第２の部分２２をエッチング法などを用いて厚みを低減させることによって作製することができる。エッチング法を用いた場合、処理時間を変えることによって、第２の部分２２の厚みを制御することが可能である。
【００３４】
＜第２の実施形態＞
図６は、本発明の第２の実施形態によるパッチアンテナ２の外観を示す略斜視図である。また、図７はパッチアンテナ２の略断面図である。
【００３５】
図６及び図７に示すように、第２の実施形態によるパッチアンテナ２は、第２の誘電体層２０の第２の部分２２が削除されて第１の部分２１のみからなり、これにより、パッチ導体３２と重ならない部分においてグランド導体３１が露出している点において、第１の実施形態によるパッチアンテナ１と相違している。その他の構成は、第１の実施形態によるパッチアンテナ１と同一であることから、同一の要素には同一の符号を付し、重複する説明は省略する。
【００３６】
本実施形態によるパッチアンテナ２は、第２の誘電体層２０が第１の部分２１のみからなり、その周囲が全て空気層となることから、実効的な誘電率をより低減することが可能となる。尚、図５において横軸が０％であるデータは、本実施形態の構成に対応する。図５に示すように、ピークゲインは横軸が０％である場合に最も良好な値が得られていることが分かる。
【００３７】
本実施形態によるパッチアンテナ２は、第１の誘電体層１０上に、グランド導体３１、第２の誘電体層２０及びパッチ導体３２をこの順に積層した後、第２の誘電体層２０のうちパッチ導体３２と重ならない第２の部分２２を、グランド導体３１が露出するまでエッチング法などを用いて除去することにより作製することができる。エッチング法を用いる場合、金属に対するエッチングレートよりも樹脂材料に対するエッチングレートが十分に大きくなる条件で行うことにより、グランド導体３１をストッパとして用いることが可能となる。
【００３８】
＜第３の実施形態＞
図８は、本発明の第３の実施形態によるパッチアンテナ３の外観を示す略斜視図である。
【００３９】
図８に示すように、第３の実施形態によるパッチアンテナ３は、第２の誘電体層２０の第１の部分２１に空洞部２３が設けられている点において、第２の実施形態によるパッチアンテナ２と相違している。その他の構成は、第２の実施形態によるパッチアンテナ２と同一であることから、同一の要素には同一の符号を付し、重複する説明は省略する。
【００４０】
空洞部２３は、給電ライン３３を収容する貫通孔とは別に設けられており、その内部は空気で満たされている。これにより、パッチ導体３２とグランド導体３１の間の実効的な誘電率がよりいっそう低下することから、より高い利得を得ることが可能となる。
【００４１】
図８に示す例では、空洞部２３が４つ設けられており、ｚ方向から見て空洞部２３と重なる部分には第２の誘電体層２０が存在しない。つまり、空洞部２３の高さは、第２の誘電体層２０の高さと同じである。また、パッチ導体３２の外周に沿った部分や、給電ライン３３が配置される部分には、第２の誘電体層２０が残されていることから、パッチ導体３２や給電ライン３３の支持が不安定となることがない。
【００４２】
空洞部２３の形状や数については特に限定されず、図８に示すように４個の空洞部２３をマトリクス状に形成しても構わないし、図９に示す第１の変形例によるパッチアンテナ３Ａのように、１個の大きな空洞部２３を形成しても構わない。第１の変形例によるパッチアンテナ３Ａは、パッチ導体３２の外周に沿った部分と、給電ライン３３が配置される部分のみに第２の誘電体層２０を残し、その他の部分を空洞部２３とした例である。パッチアンテナの利得は、空洞部２３のボリュームが大きいほど向上するため、パッチ導体３２を正しく支持可能な範囲において、空洞部２３をより大きくすることが好ましい。また、図１０に示す第２の変形例によるパッチアンテナ３Ｂのように、空洞部２３の上下の両方又は一方に第２の誘電体層２０が残存していても構わない。つまり、空洞部２３の高さは、第２の誘電体層２０の高さと一致している必要はない。
【００４３】
また、パッチアンテナは、グランド導体３１の面積が大きくなると放射パターンに傾きが生じ、垂直方向におけるピーク利得が減少することがある。これを防止するためには、図１１に示す第３の変形例によるパッチアンテナ３Ｃのように、空洞部２３をオフセットした位置に設けることによってビームの放射方向を調整することができる。図１１に示す例では、パッチ導体３２の中心点からｙ方向における一方側にオフセットした位置に給電点Ｐが配置されているのに対し、パッチ導体３２の中心点からｙ方向における他方側にオフセットした位置に空洞部２３が設けられている。これにより、ビームの放射パターンが整形され、垂直方向におけるピーク利得を高めることが可能となる。この場合、図１２に示す第４の変形例によるパッチアンテナ３Ｄのように、空洞部２３がｙ方向に開放されていても構わないし、図１３に示す第５の変形例によるパッチアンテナ３Ｅのように、空洞部２３がｘ方向及びｙ方向に開放されていても構わない。
【００４４】
＜第４の実施形態＞
図１４は、本発明の第４の実施形態によるパッチアンテナ４に含まれる導体パターンの形状を説明するための略透視上面図である。
【００４５】
図１４に示すように、第４の実施形態によるパッチアンテナ４は、別の給電ライン３５，３６が設けられており、切り欠き３１ｂによってグランド導体３１と給電ライン３５が分離されている点において、第２の実施形態によるパッチアンテナ２と相違している。その他の構成は、第２の実施形態によるパッチアンテナ２と同一であることから、同一の要素には同一の符号を付し、重複する説明は省略する。
【００４６】
給電ライン３５は、第１及び第２の誘電体層１０，２０を貫通する貫通孔内に配置されており、第１の誘電体層１０の裏面１０ｂに形成された給電ライン３６に接続される。パッチ導体３２と給電ライン３３の接続点は、パッチ導体３２の中心点に対してｙ方向にオフセットした位置に設けられている一方、パッチ導体３２と給電ライン３５の接続点は、パッチ導体３２の中心点に対してｘ方向にオフセットした位置に設けられている。これにより、本実施形態によるパッチアンテナ４は、２偏波アンテナとして機能する。例えば、給電ライン３４を介して水平偏波信号を給電し、給電ライン３６を介して垂直偏波信号を給電することができる。
【００４７】
＜第５の実施形態＞
図１５は、本発明の第５の実施形態によるパッチアンテナ５の外観を示す略斜視図である。
【００４８】
図１５に示すように、第５の実施形態によるパッチアンテナ５は、別の誘電体層４０を介してパッチ導体３２を覆う無給電パッチ導体３７が追加されている点において、第２の実施形態によるパッチアンテナ２と相違している。その他の構成は、第２の実施形態によるパッチアンテナ２と同一であることから、同一の要素には同一の符号を付し、重複する説明は省略する。
【００４９】
無給電パッチ導体３７は、パッチ導体３２と重なるよう、パッチ導体３２の上方に設けられた矩形状の導体パターンである。無給電パッチ導体３７は、他の導体パターンに接続されておらず、直流的にはフローティング状態である。このような無給電パッチ導体３７を追加すれば、アンテナ帯域をより拡大することが可能となる。図１５に示す例では、パッチ導体３２と無給電パッチ導体３７の平面サイズが同じであるが、パッチ導体３２及び無給電パッチ導体３７のサイズ、両者間の距離などは、要求されるアンテナ特性に応じて適宜調整すれば良い。
【００５０】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【符号の説明】
【００５１】
１〜５，３Ａ〜３Ｅ    パッチアンテナ
１０    第１の誘電体層
１０ａ    第１の誘電体層の表面
１０ｂ    第１の誘電体層の裏面
２０    第２の誘電体層
２０ａ    第２の誘電体層の表面
２１    第２の誘電体層の第１の部分
２２    第２の誘電体層の第２の部分
２３    空洞部
３１    グランド導体
３１ａ，３１ｂ    切り欠き
３２    パッチ導体
３３〜３６    給電ライン
３７    無給電パッチ導体
４０    誘電体層
Ｐ    給電点
【図１】
2019216361.tif 000003
【図２】
2019216361.tif 000004
【図３】
2019216361.tif 000005
【図４】
2019216361.tif 000006
【図５】
2019216361.tif 000007
【図６】
2019216361.tif 000008
【図７】
2019216361.tif 000009
【図８】
2019216361.tif 000010
【図９】
2019216361.tif 000011
【図１０】
2019216361.tif 000012
【図１１】
2019216361.tif 000013
【図１２】
2019216361.tif 000014
【図１３】
2019216361.tif 000015
【図１４】
2019216361.tif 000016
【図１５】
2019216361.tif 000017